(57)【要約】【課題】高精度に位置を特定し、ストレス性の高血圧の種類を自動的に判断支援できる技術を提供する。【解決手段】本発明の一側面に係る情報処理装置は、被測定者が使用する第１の装置との間で無線基地局を含むネットワークを介して通信が可能な情報処理装置であって、前記被測定者の血圧を示す第１情報を前記第１の装置から前記ネットワークを介して受信し、且つ前記第１の装置が前記第１情報を送信する際に使用した無線基地局の識別子を示す第２情報を受信する通信部と、前記受信された第２情報の示す前記識別子に基づいて、前記第１情報が送信された位置を示す第３情報を得る取得部と、前記第１情報の示す前記血圧と、前記第３情報の示す前記位置とに基づいて、前記被測定者につきストレス性の高血圧に関する判断を支援する情報を生成する生成部とを具備する。【選択図】図１
2020048934.tif 000002
【特許請求の範囲】
【請求項１】
被測定者が使用する第１の装置との間で無線基地局を含むネットワークを介して通信が可能な情報処理装置であって、
前記被測定者の血圧を示す第１情報を前記第１の装置から前記ネットワークを介して受信し、且つ前記第１の装置が前記第１情報を送信する際に使用した無線基地局の識別子を示す第２情報を受信する通信部と、
前記受信された第２情報の示す前記識別子に基づいて、前記第１情報が送信された位置を示す第３情報を得る取得部と、
前記第１情報の示す前記血圧と、前記第３情報の示す前記位置とに基づいて、前記被測定者につきストレス性の高血圧に関する判断を支援する情報を生成する生成部と
を具備する情報処理装置。
【請求項２】
無線基地局を含むネットワークに対しアクセス可能な、被測定者が使用する情報処理装置であって、
前記被測定者の血圧を示す第１情報を血圧計から受信すると共に、前記無線基地局の識別子を示す第２情報を取得する通信部と、
前記取得された第２情報の示す前記識別子に基づいて、前記第１情報が受信された位置を示す第３情報を得る取得部と、
前記第１情報の示す前記血圧と、前記第３情報の示す前記位置とに基づいて、前記被測定者につきストレス性の高血圧に関する判断を支援する情報を生成する生成部と
を具備する情報処理装置。
【請求項３】
無線基地局を含むネットワークに対しアクセス可能な、被測定者が使用する情報処理装置であって、
被測定者の血圧を測定し、前記測定された血圧を示す第１情報を得る血圧測定部と、
前記無線基地局の識別子を示す第２情報を取得する通信部と、
前記第２情報の示す前記識別子に基づいて、前記第１情報を得た位置を示す第３情報を得る取得部と、
前記第１情報の示す前記血圧と、前記第３情報の示す前記位置とに基づいて、前記被測定者につきストレス性の高血圧に関する判断を支援する情報を生成する生成部と
を具備する情報処理装置。
【請求項４】
前記第２情報は、第１無線基地局の識別子を示す第１識別情報と、前記第１無線基地局とは異なる第２無線基地局の識別子を示す第２識別情報とを含み、
前記第３情報は、前記第１無線基地局に関連付けられた第１位置情報と、前記第２無線基地局に関連付けられ、且つ前記第１位置情報が示す位置とは異なる位置を示す第２位置情報とを含み、
前記第１情報は、前記第１位置情報に関連付けられた第１血圧情報と、前記第２位置情報に関連付けられた第２血圧情報とを含み、
前記生成部は、前記第１血圧情報の示す血圧、前記第２血圧情報の示す血圧、及び前記第２位置情報に基づいて、前記被測定者につきストレス性の高血圧に関する判断を支援する情報を生成する、請求項１乃至３いずれか１項記載の情報処理装置。
【請求項５】
前記第１位置情報は前記被測定者の自宅の位置を示し、前記第２位置情報は前記被測定者の職場または医療機関の位置を示し、
前記第１血圧情報は、前記自宅で測定された前記被測定者の血圧を示し、前記第２血圧情報は、前記職場または医療機関で測定された前記被測定者の血圧を示す、請求項４記載の情報処理装置。
【請求項６】
前記第１無線基地局が前記自宅に対応し、前記第２無線基地局が前記職場または医療機関に対応することを示す第４情報を保持する保持部を更に備え、
前記取得部は、前記第４情報を参照することにより前記第３情報を得る、請求項５記載の情報処理装置。
【請求項７】
前記通信部は、ＧＰＳによる前記被測定者の位置を示す信号を更に受信し、
前記取得部は、前記識別子と、前記ＧＰＳによる信号とに基づいて、前記第１情報が送信された位置を示す前記第３情報を得る、請求項１乃至３いずれか１項記載の情報処理装置。
【請求項８】
無線基地局を含むネットワークに対しアクセス可能な、被測定者が使用する情報処理装置であって、
予め設定された測定対象位置に対応する第１無線基地局の識別子を示す第１情報を保持する保持部と、
前記無線基地局の識別子を取得する通信部と、
前記取得された無線基地局の識別子が、前記保持部に保持された第１無線基地局と一致した場合に、前記被測定者の血圧の測定を命令する命令部と
を具備する、情報処理装置。
【請求項９】
ＧＰＳにより前記被測定者の位置を探索する探索部を更に備え、
前記取得された無線基地局の識別子が、前記保持部に保持された第１無線基地局と一致し、かつ前記探索部により探索された前記被測定者の位置が、前記保持部で保持されている測定対象位置とに対応する場合に、前記被測定者の血圧の測定を命令する、
請求項８記載の情報処理装置。
【請求項１０】
被測定者が使用する第１の装置との間で無線基地局を含むネットワークを介して通信が可能な情報処理装置が行う情報処理方法であって、
被測定者の血圧を示す第１情報を無線通信により受信することと、
前記無線通信で使用されたアクセスポイントの識別名を示す第２情報を受信することと、
前記第２情報の示す前記識別名に基づいて、前記第１情報が送信された位置を示す第３情報を得ることと、
前記第１情報の示す前記血圧と、前記第３情報の示す前記位置とに基づいて、前記被測定者につきストレス性の高血圧に関する判断を行うことと
を備える情報処理方法。
【請求項１１】
請求項１乃至７のいずれかに記載の情報処理装置が具備する前記取得部および前記生成部としてプロセッサを機能させる情報処理プログラム。
【発明の詳細な説明】
【技術分野】
【０００１】
この発明は、情報処理装置、情報処理方法、及び情報処理プログラムに関する。
【背景技術】
【０００２】
特許文献１には、血圧測定が行われた位置をＧＰＳ（Global Positioning System: 全地球測位システム）（登録商標）信号に基づいて判定し、判定された位置と血圧値とから、使用者が職場高血圧であるか否かを判断する方法が提案されている。本方法によれば、血圧の測定場所を自動的に判定できる。これにより、使用者に位置を入力させる煩雑さを解消しつつ、使用者が職場高血圧であるか否かを判断できる。
【先行技術文献】
【特許文献】
【０００３】
【特許文献１】特開２０１５−１７７９１３号公報
【発明の概要】
【発明が解決しようとする課題】
【０００４】
しかしながら一般的に、血圧計に内蔵されるＧＰＳの精度はＧＰＳ専用機に比べて低い傾向がある。その結果、位置の特定を誤り、そして職場高血圧であるか否かについての判断をも誤るおそれがある。
【０００５】
本発明は、一側面では、このような実状を鑑みて為されたものであり、その目的は、高精度に位置を特定し、ストレス性の高血圧の種類を自動的に判断支援できる情報処理装置、情報処理方法、及び情報処理プログラムを提供しようとするものである。
【課題を解決するための手段】
【０００６】
上記課題を解決するために、本発明の第１の態様に係る情報処理装置は、被測定者が使用する第１の装置との間で無線基地局を含むネットワークを介して通信が可能な情報処理装置である。そして情報処理装置は、前記被測定者の血圧を示す第１情報を前記第１の装置から前記ネットワークを介して受信し、且つ前記第１の装置が前記第１情報を送信する際に使用した無線基地局の識別子を示す第２情報を受信する通信部と、前記受信された第２情報の示す前記識別子に基づいて、前記第１情報が送信された位置を示す第３情報を得る取得部と、前記第１情報の示す前記血圧と、前記第３情報の示す前記位置とに基づいて、前記被測定者につきストレス性の高血圧に関する判断を支援する情報を生成する生成部とを具備する。
【０００７】
上記第１の態様によれば、血圧を測定した際における被測定者の場所を、アクセスポイントの識別名に基づいて精度良く特定できる。従って、場所に依存するストレス性の高血圧、例えば職場高血圧や白衣高血圧などの判断を容易に支援できる。
【０００８】
また、本発明の第２の態様に係る情報処理装置は、無線基地局を含むネットワークに対しアクセス可能な、被測定者が使用する情報処理装置である。そして情報処理装置は、前記被測定者の血圧を示す第１情報を血圧計から受信すると共に、前記無線基地局の識別子を示す第２情報を取得する通信部と、前記取得された第２情報の示す前記識別子に基づいて、前記第１情報が受信された位置を示す第３情報を得る取得部と、前記第１情報の示す前記血圧と、前記第３情報の示す前記位置とに基づいて、前記被測定者につきストレス性の高血圧に関する判断を支援する情報を生成する生成部とを具備する。
【０００９】
更に、本発明の第３の態様に係る情報処理装置は、無線基地局を含むネットワークに対しアクセス可能な、被測定者が使用する情報処理装置である。そして情報処理装置は、被測定者の血圧を測定し、前記測定された血圧を示す第１情報を得る血圧測定部と、前記無線基地局の識別子を示す第２情報を取得する通信部と、前記第２情報の示す前記識別子に基づいて、前記第１情報を得た位置を示す第３情報を得る取得部と、前記第１情報の示す前記血圧と、前記第３情報の示す前記位置とに基づいて、前記被測定者につきストレス性の高血圧に関する判断を支援する情報を生成する生成部とを具備する。
【００１０】
上記第２及び第３の態様によっても、被測定者の場所をアクセスポイントの識別名に基づいて精度良く特定でき、第１の態様と同様の効果が得られる。
【００１１】
本発明の第４の態様に係る情報処理装置は、上記第１乃至第３の態様のいずれかにおいて、前記第２情報は、第１無線基地局の識別子を示す第１識別情報と、前記第１無線基地局とは異なる第２無線基地局の識別子を示す第２識別情報とを含み、前記第３情報は、前記第１無線基地局に関連付けられた第１位置情報と、前記第２無線基地局に関連付けられ、且つ前記第１位置情報が示す位置とは異なる位置を示す第２位置情報とを含み、前記第１情報は、前記第１位置情報に関連付けられた第１血圧情報と、前記第２位置情報に関連付けられた第２血圧情報とを含み、前記生成部は、前記第１血圧情報の示す血圧、前記第２血圧情報の示す血圧、及び前記第２位置情報に基づいて、前記被測定者につきストレス性の高血圧に関する判断を支援する情報を生成する。
【００１２】
上記第４の態様によれば、複数の位置で測定された血圧を比較することにより、被測定者がストレス性の高血圧であるか否かの判断を支援できる。
【００１３】
本発明の第５の態様に係る情報処理装置によれば、上記第４の態様において、前記第１位置情報は前記被測定者の自宅の位置を示し、前記第２位置情報は前記被測定者の職場または医療機関の位置を示し、前記第１血圧情報は、前記自宅で測定された前記被測定者の血圧を示し、前記第２血圧情報は、前記職場または医療機関で測定された前記被測定者の血圧を示しても良い。
【００１４】
本発明の第６の態様に係る情報処理装置は、前記第１無線基地局が前記自宅に対応し、前記第２無線基地局が前記職場または医療機関に対応することを示す第４情報を保持する保持部を更に備え、前記取得部は、前記第４情報を参照することにより前記第３情報を得る。
【００１５】
上記第６の態様によれば、アクセスポイントと場所の情報が対応付けて保持されることにより、アクセスポイントに基づいて被測定者の位置を特定できる。
【００１６】
本発明の第７の態様に係る情報処理装置は、上記第１乃至第３の態様のいずれかにおいて、前記通信部は、ＧＰＳによる前記被測定者の位置を示す信号を更に受信し、前記取得部は、前記識別名と、前記ＧＰＳによる信号とに基づいて、前記第１情報が送信された位置を示す第３情報を得る。
【００１７】
上記第７の態様によれば、アクセスポイントの識別名だけでなくＧＰＳによる位置情報も用いることにより、被測定者の位置を、より精度良く特定できる。
【００１８】
また、本発明の第８の態様に係る情報処理装置は、無線基地局を含むネットワークに対しアクセス可能な、被測定者が使用する情報処理装置である。そして情報処理装置は、予め設定された測定対象位置に対応する第１無線基地局の識別子を示す第１情報を保持する保持部と、前記無線基地局の識別子を取得する通信部と、前記取得された無線基地局の識別子が、前記保持部に保持された第１無線基地局と一致した場合に、前記被測定者の血圧の測定を命令する命令部とを具備する。
【００１９】
上記第８の態様のように、アクセスポイントに接続されたことを、血圧測定のトリガとして用いることができる。
【００２０】
更に、本発明の第９の態様に係る情報処理装置は、上記第８の態様において、ＧＰＳにより前記被測定者の位置を探索する探索部を更に備え、前記取得された無線基地局の識別子が、前記保持部に保持された第１無線基地局と一致し、かつ前記探索部により探索された前記被測定者の位置が、前記保持部で保持されている測定対象位置とに対応する場合に、前記被測定者の血圧の測定を命令する。
【００２１】
上記第９の態様によれば、第７の態様と同様に、アクセスポイントの識別名だけでなくＧＰＳによる位置情報も送信することにより、情報処理装置の位置を、より精度良く通知できる。
【発明の効果】
【００２２】
本発明によれば、高精度に位置を特定し、ストレス性の高血圧の種類を自動的に判断支援できる情報処理装置、情報処理方法、及び情報処理プログラムを提供できる。
【図面の簡単な説明】
【００２３】
【図１】図１は、実施の形態に係る情報処理装置の適用場面の一例を模式的に例示する。
【図２】図２は、図１における情報処理装置の動作の一例を例示する。
【図３】図３は、実施の形態に係る高血圧判定システムの構成の一例を例示する。
【図４】図４は、実施の形態に係る血圧計の構成の一例を模式的に例示する。
【図５】図５は、実施の形態に係る携帯通信端末のハードウェア構成の一例を模式的に例示する。
【図６】図６は、実施の形態に係るサーバのハードウェア構成の一例を模式的に例示する。
【図７】図７は、実施の形態に係る血圧テーブルの一例を模式的に例示する。
【図８】図８は、実施の形態に係る携帯通信端末の機能構成の一例を模式的に例示する。
【図９】図９は、実施の形態に係るサーバの機能構成の一例を模式的に例示する。
【図１０】図１０は、実施の形態に係る高血圧判定システムの動作を示すフローチャートの一例を例示する。
【図１１】図１１は、実施の形態に係る高血圧判定システムの動作を示すフローチャートの一例を例示する。
【図１２】図１２は、変形例に係る高血圧判定システムの動作を示すフローチャートの一例を例示する。
【図１３】図１３は、変形例に係る高血圧判定システムの動作を示すフローチャートの一例を例示する。
【図１４】図１４は、変形例に係る血圧計の構成の一例を模式的に例示する。
【図１５】図１５は、変形例に係る携帯通信端末のハードウェア構成の一例を模式的に例示する。
【図１６】図１６は、変形例に係る高血圧判定システムの動作を示すフローチャートの一例を例示する。
【図１７】図１７は、変形例に係る携帯通信端末のハードウェア構成の一例を模式的に例示する。
【図１８】図１８は、変形例に係る高血圧判定システムの動作を示すフローチャートの一例を例示する。
【図１９】図１９は、変形例に係る高血圧判定システムの動作を示すフローチャートの一例を例示する。
【図２０】図２０は、変形例に係る高血圧判定システムの動作を示すフローチャートの一例を例示する。
【図２１】図２１は、変形例に係る高血圧判定システムの構成の一例を例示する。
【図２２】図２２は、変形例に係る血圧テーブルの一例を模式的に例示する。
【発明を実施するための形態】
【００２４】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場するデータを自然言語により説明しているが、より具体的には、コンピュータが認識可能な疑似言語、コマンド、パラメータ、マシン語等で指定される。
【００２５】
§１  適用例
まず、図１を用いて、本発明が適用される場面の一例について説明する。図１は、本実施形態に係る情報処理装置１００の適用場面の一例を模式的に例示しており、高血圧判定システムの構成例を示している。
【００２６】
図１に示すように、本実施形態に係る高血圧判定システムは、情報処理装置１００、携帯通信端末ＩＴ、及び測定端末ＢＴなどを含む。そして本実施形態に係る測定端末ＢＴは、携帯通信端末ＩＴを介して情報処理装置１００と無線通信接続される。また本実施形態に係る情報処理装置１００は、図示する高血圧判定システム内において、被測定者の血圧情報を様々な場所において収集し、被測定者が職場高血圧であるか、白衣高血圧であるかを判断する。
【００２７】
測定端末ＢＴは、少なくとも被測定者（ユーザ）の血圧値を測定する機能を有する。測定端末ＢＴは、例えば、腕時計型などのウエアラブルな端末装置である。測定端末ＢＴは、ユーザの血圧値を測定するだけでなく、活動量、歩数および睡眠状態などの生体データや気温および湿度などの環境データなどを測定する機能を有するものである。
【００２８】
携帯通信端末ＩＴは、例えば、スマートフォン、携帯電話、タブレットＰＣ、ノートＰＣなどの携帯可能な情報通信端末である。携帯通信端末ＩＴは、少なくとも測定端末ＢＴが測定したデータ、より具体的には血圧値を情報処理装置１００へ転送できるものであれば良い。また本実施形態に係る携帯通信端末ＩＴは、例えばＷｉ−Ｆｉ（登録商標）等の無線通信により情報処理装置１００と通信可能とされ、血圧値と共に、無線通信で用いたアクセスポイントの識別子（ＳＳＩＤ：Service Set Identifier）を情報処理装置１００に送信する。
【００２９】
情報処理装置１００は、例えば通信部ＣＵ、取得部ＡＵ、生成部ＧＵ、及びメモリＭＲを備えている。通信部ＣＵは、携帯通信端末ＩＴとの間でのデータの送受信を行う。メモリＭＲは、血圧テーブルＢＰＴを保持する。血圧テーブルＢＰＴは、例えばユーザの自宅、職場、及びユーザの通う病院と、これらの場所に設けられたアクセスポイントのＳＳＩＤと、これらの場所で測定された血圧との関係を保持する。例えば図１の例では、血圧テーブルＢＰＴには、自宅で使用されるアクセスポイントのＳＳＩＤは“Ａ０００１”であり、職場で使用されるアクセスポイントのＳＳＩＤは“Ｂ０００１”であり、病院で使用されるアクセスポイントのＳＳＩＤは“Ｃ０００１”であることが登録されている。また、自宅で測定された血圧値（８０−１１０ｍｍＨｇ）が登録されている。取得部ＡＵは、通信部ＣＵにおいて携帯通信端末ＩＴから血圧値とＳＳＩＤとを受信した際に、受信したＳＳＩＤと、メモリＭＲ内の血圧テーブルＢＰＴとに基づいて、データの送信された位置を取得する。生成部ＧＵは、受信した血圧値とＳＳＩＤと、血圧テーブルＢＰＴに保持される血圧値とに基づいて、ユーザが職場高血圧であるか、白衣高血圧であるか、の判断を支援するための情報を生成する。
【００３０】
図２は、本実施形態に係る情報処理装置１００の動作の概念を示すフローチャートである。図示するように、通信部ＣＵにおいて血圧値とＳＳＩＤとを受信すると（ステップＳ１０）、取得部ＡＵが、受信されたＳＳＩＤに基づいて、携帯通信端末ＩＴの位置を特定する（ステップＳ１１）。そして、生成部ＧＵは、特定された位置、血圧テーブルＢＰＴ内に登録されている、自宅で測定された血圧値、及び受信した血圧値に基づいて、ユーザが職場高血圧であるか白衣高血圧であるかを判断するための支援情報を生成する（ステップＳ１２）。
【００３１】
より具体的には、例えば生成部ＧＵは、受信した血圧値と、自宅で測定された血圧値とが、ガイドライン（例えば、日本高血圧学会発行のガイドラインなど）で定められた基準値に合致し、且つ特定された位置が職場であれば職場高血圧の可能性が高く、病院であれば白衣高血圧である可能性が高い、と判断する。
【００３２】
以上のように、本実施形態に係る携帯通信端末ＩＴは、測定端末ＢＴで測定された血圧値を情報処理装置１００に送信する際に、使用するアクセスポイントのＳＳＩＤも合わせて送信する。また、情報処理装置１００の血圧テーブルＢＰＴには、予め、自宅、職場、及び病院で使用されるアクセスポイントのＳＳＩＤが登録されている。従って情報処理装置１００は、血圧値と共にＳＳＩＤを受信することで、携帯通信端末ＩＴの位置、すなわち測定端末ＢＴの位置を知ることが出来る。この測定端末ＢＴの位置は、受信した血圧値が測定された場所とほぼみなすことが出来る。つまり、受信したＳＳＩＤが職場を示していれば、受信した血圧値は職場で測定された値であり、受信したＳＳＩＤが病院を示していれば、受信した血圧値は病院で測定された値であるとみなすことが出来る。従って、この位置情報と、受信した血圧値及び自宅で測定された血圧値とに基づいて、ユーザが職場高血圧であるか白衣高血圧であるかの判断を支援することが出来る。
【００３３】
このように、ＳＳＩＤを用いることにより、血圧値の測定位置をより精密に得ることが出来る。また、例えば携帯通信端末ＩＴや測定端末ＢＴにＧＰＳ機能を設け、このＧＰＳ機能によって位置を求めるようとする場合に比べて、バッテリの消耗も抑制出来る。
【００３４】
§２  構成例
次に、上記§１で説明した適用例の詳細について説明する。
【００３５】
［システム全体構成］
図２は、本実施形態に係る高血圧判定システムの構成例を示しており、図１をより具体化して示すものである。
【００３６】
図示するように、本実施形態に係る高血圧判定システム１は、サーバ５、無線ＬＡＮ（Ｗｉ−Ｆｉ）基地局２０、３０、及び４０、測定端末５０、並びに携帯通信端末６０を含む。
【００３７】
サーバ５は、図１で説明した情報処理装置１００に相当し、ネットワーク６を介して、無線ＬＡＮ基地局２０、３０、及び４０と接続されている。
【００３８】
測定端末５０は、図１で説明した測定端末ＢＴに相当し、携帯通信端末６０は、図１で説明した携帯通信端末ＩＴに相当する。
【００３９】
基地局２０、３０、及び４０は、アクセスポイント、親機、またはステーションとも呼ばれ、無線通信可能なカバレッジエリア２、３、及び４を形成する。カバレッジエリアは、例えばセルや単にカバレッジと呼ばれることがあり、マクロセル、フェムトセル、ピコセルのいずれであっても良い。基地局２０は、被測定者の自宅をカバーするカバレッジエリア２を形成し、ＳＳＩＤとして“Ａ０００１”が割り当てられている。基地局３０は、被測定者の職場をカバーするカバレッジエリア３を形成し、ＳＳＩＤとして“Ｂ０００１”が割り当てられている。そして基地局４０は、被測定者が通う病院をカバーするカバレッジエリア４を形成し、ＳＳＩＤとして“Ｃ０００１”が割り当てられている。
【００４０】
従って、自宅において被測定者の血圧値が測定された際には、測定された血圧値は基地局２０を経由してサーバ５へ送信される。また、職場において血圧値が測定された際には、測定された血圧値は基地局３０を経由してサーバ５へ送信される。同様に、病院で血圧値が測定された際には、測定された血圧値は基地局４０を経由してサーバ５へ送信される。
【００４１】
［ハードウェア構成］
次に、本実施形態に係る測定端末５０、携帯通信端末６０、及びサーバ５のハードウェア構成の一例について説明する。
【００４２】
＜測定端末＞
図４は、本実施形態に係る測定端末５０のハードウェア構成の一例を模式的に例示する。図示するように測定端末５０は、通信部５１、制御部５２、メモリ５３、操作部５４、表示部５５、及びセンサ５６を備えている。
【００４３】
通信部５１は、携帯通信端末６０と通信するための通信インターフェースである。通信部５１は、携帯通信端末６０へデータを送信したり、携帯通信端末６０からデータを受信したりする。通信部５１による通信は、無線通信あるいは有線通信のいずれであっても良い。本実施形態において、通信部５１は、近距離無線通信、例えばBluetooth（登録商標）により携帯通信端末６０と通信するものを想定して説明するが、これに限定されず、通信ケーブルを用いて通信するものであっても良いし、ＬＡＮのようなネットワークを介して通信するものであっても良い。
【００４４】
制御部５２は、ＣＰＵ（Central Processing Unit）、ＲＡＭ（Random Access Memory）、ＲＯＭ（Read Only Memory）等を含み、情報処理に応じて各構成要素の制御を行う。すなわち制御部５２は、ＣＰＵ等のプロセッサが、ＲＡＭを用いてプログラムを実行することにより、各種の動作制御およびデータ処理などを実現する。
【００４５】
メモリ５３は、例えばＲＡＭやＲＯＭ等の半導体メモリであり、制御部５２で実行される各種プログラムや、制御部５２で必要とされる各種データを保持する。
【００４６】
操作部５４は、タッチパネルおよび操作ボタン（操作キー）などの操作デバイスを備える。操作部５４は、ユーザ（被測定者）による操作を検出し、操作内容を示す操作信号を制御部５２へ出力する。また操作部５４は、タッチパネルや操作ボタンに限定されず、例えば、ユーザの音声による操作指示を認識する音声認識部、ユーザの生体の一部を認証する生体認証部、ユーザの顔や体を撮影した画像によりユーザの表情やジェスチャーを認識する画像認識部などを備えていても構わない。
【００４７】
表示部５５は、例えば表示画面（例えば、ＬＣＤ（Liquid Crystal Display）またはＥＬ（Electroluminescence）ディスプレイなど）やインジケータ等を含み、制御部５２からの制御信号に従って情報を表示する。なお、本実施形態において、操作部５４および表示部５５は、タッチパネルを有する表示器により構成されるものとして説明する。
【００４８】
センサ５６は、ユーザの生体情報を測定し、生体情報の測定データとしての生体データを出力する。センサ５６には、少なくとも血圧センサが含まれる。血圧センサは、ユーザの血圧値を測定する。
【００４９】
センサ５６が取得する生体データとしては、血圧値の他に、脈波データ、脈拍データ、心電データ、心拍データ、体温データなどが想定され、これらの生体データを測定するためのセンサが設けられうる。これらの生体データは、血圧以外の要素の測定データとして出力されるようにしても良い。
【００５０】
例えば、脳波は人間の睡眠状態を示す指標であり、人間の睡眠状態が血圧変動を引き起こしうる要素の１つとして考えられる。センサ５６が測定する脳波データは、ユーザの血圧変動の要因となりうる情報であり、血圧以外の要素の測定データとして出力されうる。また、脳波データ以外にも、脈拍データ、心電データ、心拍データ、体温データなどが血圧変動を引き起こしうる要素の１つとして考えられる場合には、それらの測定データが、血圧以外の要素の測定データとして出力されるようにして良い。
【００５１】
血圧センサは、予め設定したタイミングまたは時間間隔でオシロメトリック法により血圧を計測しても良いし、連続測定型の血圧センサであっても良い。血圧センサは、１拍ごとの血圧を連続測定することができる血圧センサを含み得るが、これに限定されるものではない。例えば、血圧センサは、ＰＴＴ方式、トノメトリ方式、光学方式、電波方式、または、超音波方式などを用いた血圧センサが適用できる。ＰＴＴ方式は、脈波伝播時間（ＰＴＴ；Pulse Transmit Time）を測定し、測定した脈波伝播時間から血圧値を推定する方式である。トノメトリ方式は、手首の橈骨動脈等の動脈が通る生体部位に圧力センサを直接接触させて、圧力センサが検出する情報を用いて血圧値を測定する方式である。光学方式、電波方式、および、超音波方式は、光、電波または超音波を血管にあててその反射波から血圧値を測定する方式である。
【００５２】
なお、連続測定型の血圧センサは、ユーザの血圧波形を測定することができ、測定した血圧波形に基づいて血圧値を得ることができ、測定した血圧波形の周期に基づいて心拍数を算出することができる。心拍データは、例えば、心拍数を含み得るが、これに限定されない。心拍数は、連続測定型の血圧センサによって測定されるのに限定されず、心拍センサによって測定されてもよい。
【００５３】
＜携帯通信端末＞
図５は、本実施形態に係る携帯通信端末６０のハードウェア構成の一例を模式的に例示する。図示するように携帯通信端末６０は、通信部６１、制御部６２、メモリ６３、操作部６４、及び表示部６５を備えている。前述の通り、本実施形態に係る携帯通信端末６０は、例えば、スマートフォンやタブレットなどの携帯可能な通信端末であって、後述の処理を実行可能となるようにアプリケーションソフトウエア（プログラム）がインストールされたものである。
【００５４】
通信部６１は、サーバ５及び測定端末５０と通信するための通信インターフェースである。すなわち通信部６１は、ネットワーク６を介してデータをサーバ５へ送信したり、サーバ５からのデータを受信したりする。通信部６１とサーバ５との間の通信は、無線通信によって行われ、その一例はＷｉ−Ｆｉである。また通信部６１は、測定端末５０からデータを受信したり、測定端末５０へ動作指示を送信したりする。前述の通り、通信部６１と測定端末５０との間の通信は無線通信であっても良いし、有線通信であっても良く、本例では近距離無線通信（Bluetooth）を想定して説明する。
【００５５】
制御部５２は、ＣＰＵ、ＲＡＭ、ＲＯＭ等を含み、情報処理に応じて各構成要素の制御を行う。すなわち制御部５２は、ＣＰＵ等のプロセッサが、ＲＡＭを用いてプログラムを実行することにより、各種の動作制御およびデータ処理などを実現する。
【００５６】
メモリ６３は、ＲＯＭやＲＡＭ等の半導体メモリである。メモリ６３は、制御部６２で実行される各種のプログラムや、制御部６２で必要とされる各種のデータを保持する。またメモリ６３は、血圧判断プログラム６６を保持する。このプログラム６６が制御部６２で実行されることにより、携帯通信端末６０は、図１で説明した高血圧判定システムの一部として構成される。
【００５７】
表示部６５は、表示画面（例えば、ＬＣＤまたはＥＬディスプレイなど）を含む。表示部６５は、制御部６２の制御によって表示画面に表示する表示内容が制御される。
【００５８】
操作部６４は、ユーザによる操作に対応した操作信号を制御部６２へ送信する。操作部６４は、例えば、表示部６５の表示画面上に設けたタッチパネルである。操作部６４は、タッチパネルに限定されず、操作ボタン、キーボードおよびマウスなどであっても良い。また、操作部６４は、ユーザの音声による操作指示を認識する音声認識部、ユーザの生体の一部を認証する生体認証部、あるいは、ユーザの表情やジェスチャーを認識する画像認識部などを備えるものであっても良い。
【００５９】
＜サーバ＞
図６は、本実施形態に係るサーバ５のハードウェア構成の一例を模式的に例示する。図示するようにサーバ５は、通信部７１、制御部７２、及びメモリ７３を備えている。本実施形態においてサーバ５は、汎用のコンピュータ装置に、後述の処理を行わせるようにプログラム（ソフトウェア）をインストールしたものを想定して説明する。またサーバ５は、例えば前述の高血圧判定システムを運営する会社に設置される。
【００６０】
通信部７１は、携帯通信端末６０と通信するための通信インターフェースである。通信部７１は、ネットワーク６を介してデータを携帯通信端末６０へ送信したり、携帯通信端末６０からのデータを受信したりする。通信部７１とネットワーク６との間の通信は有線通信であっても良いし、無線通信であっても良い。
【００６１】
制御部７２は、ＣＰＵ、ＲＡＭ、ＲＯＭ等を含み、情報処理に応じて各構成要素の制御を行う。すなわち制御部７２は、ＣＰＵ等のプロセッサが、ＲＡＭを用いてプログラムを実行することにより、各種の動作制御およびデータ処理などを実現する。
【００６２】
メモリ７３は、磁気ディスク（ＨＤＤ）、半導体メモリ（メモリカード、ＳＳＤ）、光ディスク、光磁気ディスクなどである。メモリ７３は、制御部７２で実行される各種のプログラムや、制御部７２で必要とされる各種のデータを保持する。またメモリ７３は、血圧判断プログラム７４、血圧テーブル７５、並びに閾値データＢＰ１及びＢＰ２を保持する。血圧判断プログラム７４が制御部７２で実行されることにより、サーバ５は図１で説明した高血圧判定システムの一部として構成される。また血圧テーブル７５は、図１で説明した血圧テーブルＢＰＴに対応する。血圧テーブル７５の一例を図７に示す。図７は、血圧テーブル７５の概念図である。図示するように、自宅で使用されるアクセスポイントのＳＳＩＤとして“Ａ０００１”が登録され、職場で使用されるアクセスポイントのＳＳＩＤとして“Ｂ０００１”及び“Ｂ０００２”が登録され、病院で使用されるアクセスポイントのＳＳＩＤとして“Ｃ０００１”及び“Ｃ０００２”が登録されている。閾値データＢＰ１及びＢＰ２は、ユーザが職場高血圧または白衣高血圧であるか判断支援のために用いられる。この判断の詳細については後述する。
【００６３】
［機能構成］
次に、本実施形態に係る携帯通信端末６０及びサーバ５の機能構成の一例について説明する。
【００６４】
＜携帯通信端末＞
図８は、携帯通信端末６０の、特に血圧判断プログラム６６実行時における制御部６２の機能構成を模式的に例示している。
【００６５】
携帯通信端末６０の制御部６２は、メモリ６３に記憶された血圧判断プログラム６６をＲＡＭに展開する。そして制御部６２は、ＲＡＭに展開された血圧判断プログラム６６をＣＰＵにより解釈及び実行して、各構成要素を制御する。血圧判断プログラム６６を実行することにより実現される構成要素は、例えば図８に示すように血圧測定命令部６２ａ、ＳＳＩＤ取得命令部６２ｂ、送信命令部６２ｃ、及び表示命令部６２ｄである。
【００６６】
血圧測定命令部６２ａは、血圧測定を開始するよう、通信部６１を介して測定端末５０に命令する。ＳＳＩＤ取得命令部６２ｂは、使用可能、または使用中のアクセスポイントのＳＳＩＤを取得するよう、通信部６１に対して命令する。送信命令部６２ｃは、測定端末５０で測定された血圧値と、通信部６１で得られたＳＳＩＤとをサーバ５に送信するよう、通信部６１に対して命令する。表示命令部６２ｄは、サーバ５の判断結果に基づき、ユーザが職場高血圧であるか白衣高血圧であるかの判断支援結果を表示するよう、表示部６５に命令する。
【００６７】
＜サーバ＞
次にサーバ５について説明する。図９は、サーバ５の、特に血圧判断プログラム７４実行時における制御部７２の機能構成を模式的に例示している。
【００６８】
サーバ５の制御部７２は、メモリ７３に記憶された血圧判断プログラム７４をＲＡＭに展開する。そして制御部７２は、ＲＡＭに展開された血圧判断プログラム７４をＣＰＵにより解釈及び実行して、各構成要素を制御する。血圧判断プログラム７４を実行することにより実現される構成要素は、例えば図９に示すようにテーブル作成部７２ａ、位置特定部７２ｂ、比較部７２ｃ、及び判断部７２ｄである。
【００６９】
テーブル作成部７２ａは、血圧テーブル７５を作成する。すなわち、予めＳＳＩＤと位置との関係を例えば携帯通信端末６０から受信することで、これを血圧テーブルに登録する。その後、測定された血圧が携帯通信端末６０から送信されると、これを血圧テーブルに登録する。位置特定部７２ｂは、携帯通信端末６０から血圧値とＳＳＩＤを受信した際に、血圧テーブルとＳＳＩＤとに基づいて、当該血圧値が測定された位置を特定する。比較部７２ｃは、例えば血圧テーブル内の自宅で測定された血圧値と閾値データＢＰ１とを比較し、更に携帯通信端末６０から受信され、職場または病院で測定された血圧と閾値データＢＰ２とを比較する。そして比較部７２ｃは、比較結果を判断部７２ｄに送信する。判断部７２ｄは、比較部７２ｃで得られた比較結果と、位置特定部７２ｂによって特定された位置とに応じて、ユーザが職場高血圧であるか白衣高血圧であるかの判断を支援する情報（これを支援情報と呼ぶ）を生成する。そして判断部７２ｄは、支援情報を携帯通信端末６０に送信するよう、通信部７１に命令する。
【００７０】
§３  動作例
次に、上記構成の高血圧測定システムの動作につき、図１０を用いて説明する。図１０は、測定端末（血圧計）５０、並びに血圧判断プログラム６６及び７４実行中の携帯通信端末６０及びサーバ５の動作を示すフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【００７１】
まず始めに、サーバ５では、テーブル作成部７２ａにより、ＳＳＩＤと位置との関係が血圧テーブル７５に登録される（ステップＳ４０）。
【００７２】
携帯通信端末６０では、通信部６１が、例えば図３で説明したいずれかのカバレッジエリア２〜４に入ったか否かを検知する（ステップＳ３０）。携帯通信端末６０がいずれかのカバレッジエリア２〜４に入り（ステップＳ３０、ＹＥＳ）、またはサーバ５との無線通信が確立されると、携帯通信端末６０の血圧測定命令部６２ａが、測定端末（本例では血圧計）５０に対して血圧測定開始を命令する（ステップＳ３１）。
【００７３】
ステップＳ３１の命令に基づいて、測定端末５０はユーザの血圧測定を行い（ステップＳ２１）、測定結果（血圧値）を携帯通信端末６０に送信する（ステップＳ２１）。携帯通信端末６０では、測定端末５０から血圧値を受信する前または後において、ＳＳＩＤ取得命令部６２ｂの命令により、例えば通信部６１が、ステップＳ３０で検出されたカバレッジエリアのＳＳＩＤを取得する（ステップＳ３３）。そして送信命令部６２ｃの命令により、ステップＳ３２で受信した血圧値と、ステップＳ３３で得られたＳＳＩＤとが、サーバ５へ送信される。
【００７４】
サーバ５は血圧値とＳＳＩＤとを受信すると（ステップＳ４１）、まずテーブル作成部７２ａが、血圧テーブル７５に血圧値を登録する。この際、テーブル作成部７２ａは、受信したＳＳＩＤを参照し、このＳＳＩＤに対応する血圧エントリに血圧値を登録する。
【００７５】
そして、血圧テーブル７５において、自宅で測定された血圧値が登録されており（ステップＳ４３、ＹＥＳ）、受信した血圧値が自宅で測定された血圧値でなければ、比較部７２ｃが、血圧テーブル７５に保持される自宅で測定された血圧値と閾値ＢＰ１とを比較し、更に受信した血圧値と閾値ＢＰ２とを比較する（ステップＳ４４）。引き続き、判断部７２ｄは、ステップＳ４４の比較結果と特定された位置とに基づいて、ユーザが職場高血圧か白衣高血圧かの判断支援情報を判断し（ステップＳ４５）、支援情報を携帯通信端末６０に送信する（ステップＳ４６）。
【００７６】
携帯通信端末６０はサーバ５から支援情報を受信すると（ステップＳ３５）、表示命令部６２ｄが当該支援情報を表示部６５に表示させる（ステップＳ３６）。
【００７７】
上記動作におけるステップＳ４４〜Ｓ４５の詳細につき、図１１を用いて説明する。図１１は、上記ステップＳ４４〜Ｓ４５におけるサーバ５の詳細な動作を示すフローチャートである。
【００７８】
図示するように、まず位置特定部７２ｂが、受信したＳＳＩＤに基づいて、受信した血圧値が測定された位置を特定する（ステップＳ５０）。これは、血圧テーブル７５を参照することで容易に特定出来る。例えば図７の例であると、受信したＳＳＩＤが“Ａ０００１”であれば自宅であり、受信したＳＳＩＤが“Ｂ０００１”または“Ｂ０００２”であれば職場であり、受信したＳＳＩＤが“Ｃ０００１”または“Ｃ０００２”であれば病院である。
【００７９】
もし、血圧値が測定された場所が自宅であった場合、すなわち受信したＳＳＩＤが“Ａ０００１”であった場合（ステップＳ５１、ＹＥＳ）、例えば必要に応じて血圧テーブル７５内のデータを更新する（ステップＳ５２）。職場高血圧及び白衣高血圧の判断には、自宅における血圧値の値が重要であり、高い精度が求められる。そのため、例えば、既に血圧テーブル７５に登録されている血圧値を、最新の血圧値に更新しても良いし、または既に血圧テーブル７５に登録されている血圧値との平均値を求め、これを自宅での血圧値として登録しても良い。
【００８０】
ステップＳ５１において、血圧値の測定された場所が自宅ではなく、職場または病院であった場合、比較部７２ｃは、血圧テーブル７５に登録されている自宅での血圧値と閾値ＢＰ１とを比較し、受信した血圧値と閾値ＢＰ２とを比較する（ステップＳ５３）。閾値ＢＰ１及びＢＰ２は、例えば前述の日本高血圧学会発行のガイドラインに定められた値であり、閾値ＢＰ１は、家庭血圧の基準値、例えば１３５／８５ｍｍＨｇであり、閾値ＢＰ２は、家庭外の基準値、例えば１４０／９０ｍｍＨｇである。もちろん、閾値ＢＰ１及びＢＰ２は、これらの値に限定されるものではない。
【００８１】
受信した血圧値が職場で測定されたものであり、すなわち受信したＳＳＩＤが“Ｂ０００１”または“Ｂ０００２”であり（ステップＳ５４、ＹＥＳ）、自宅での血圧値が閾値ＢＰ１未満であり、職場で測定された血圧値が閾値ＢＰ２以上であれば、（ステップＳ５５、ＹＥＳ）、判断部７２ｄは、ユーザは職場高血圧である可能性が高いと判断する（ステップＳ５７）。他方で、自宅での血圧値が閾値ＢＰ１未満であること、及び職場で測定された血圧値が閾値ＢＰ２以上であることのいずれか一方が満たされなければ（ステップＳ５５、ＮＯ）、判断部７２ｄは、ユーザは職場高血圧ではない可能性が高いと判断する（ステップＳ５６）。
【００８２】
また、受信した血圧値が病院で測定されたものであり、すなわち受信したＳＳＩＤが“Ｃ０００１”または“Ｃ０００２”であり（ステップＳ５４、ＮＯ）、自宅での血圧値が閾値ＢＰ１未満であり、病院で測定された血圧値が閾値ＢＰ２以上であれば、（ステップＳ５５、ＹＥＳ）、判断部７２ｄは、ユーザは白衣高血圧ではある可能性が高いと判断する（ステップＳ６０）。他方で、自宅での血圧値が閾値ＢＰ１未満であること、及び病院で測定された血圧値が閾値ＢＰ２以上であることのいずれか一方が満たされなければ（ステップＳ５８、ＮＯ）、判断部７２ｄは、ユーザは白衣高血圧でない可能性が高いと判断する（ステップＳ５９）。
【００８３】
なお、上記図１１の例では、ステップＳ５１で自宅と判断された場合には、比較動作は行われない。しかし、ステップＳ５２で自宅の血圧値が更新され、且つ、既に職場または病院での血圧値が血圧テーブルに登録されている場合には、これらと閾値ＢＰ１及びＢＰ２とを比較しても良い。そして、その比較結果に基づいて、改めて職場高血圧と白衣高血圧の可能性の有無を判断しても良い。なぜなら、職場高血圧と白衣高血圧とを判断するための基準となる自宅の血圧値が変化したからである。
【００８４】
［作用・効果］
以上のように、本実施形態では、予めサーバ５に、例えば自宅、職場、及び病院で使用されるアクセスポイントのＳＳＩＤを登録すると共に、ユーザが血圧値を測定する際には、血圧値だけでなく、使用しているアクセスポイントのＳＳＩＤとがサーバへ送信される。従ってサーバ５は、受信したＳＳＩＤに基づいて、高精度にユーザの居場所を特定できる。そして、特定された位置に応じて、ユーザがストレス性の高血圧、例えば職場高血圧や白衣高血圧である可能性を判断出来る。
【００８５】
なお、上記実施形態では、判断部７２ｄが、職場高血圧であるか否かの判断、及び白衣高血圧であるか否かの判断自体は行わず、判断を支援するための情報を生成する場合を例に説明した。この場合、例えばユーザの携帯通信端末６０の表示部６５には「あなたは職場高血圧の可能性があるので、早く受診してください」などのメッセージが表示され得る。この理由は、職場高血圧または白衣高血圧であるかの最終的な判断は医師が行うべき、との考えに基づくものである。しかし、あくまでも、ガイドラインに基づく結果であることを前提として、判断部７２ｄが、職場高血圧であるか否かの判断、及び白衣高血圧であるか否かの判断を行っても良い。この場合、例えばユーザの携帯通信端末６０の表示部６５には「あなたは職場高血圧ですので、早く受診してください」などのメッセージが表示され得る。
【００８６】
また上記実施形態では、携帯通信端末６０が血圧値とＳＳＩＤとをネットワーク６を介してサーバ５に送信する場合を例に説明した。しかし、携帯通信端末６０は基地局を介してネットワーク６に接続される。従って、基地局からネットワーク６に送信されるパケットにＳＳＩＤの情報が含まれ、この情報からサーバ５がＳＳＩＤを特定できれば、携帯通信端末６０（または後述する測定端末５０）はＳＳＩＤをデータとして送信する必要はない。このことは、以下で説明する変形例においても同様である。また、サーバ５に蓄えられた血圧値のデータが例えば保険会社に提供され、保険料の見直しに用いられても良い。この観点では、サーバ５が保険会社によって運用される場合であっても良い。
【００８７】
§４  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【００８８】
＜４．１＞
上記実施形態では、携帯通信端末６０がいずれかのカバレッジエリア２〜４に入った際に、携帯通信端末６０が測定端末５０に対して自動的に（すなわちユーザによる指示を受けることなく）血圧測定を命令する場合について説明した。この場合、例えば図３の例であると、携帯通信端末６０に、測定すべき場所に対応するＳＳＩＤ（図３の例では“Ａ０００１”、“Ｂ０００１”、及び“Ｃ０００１”）が保持される。そして携帯通信端末６０がいずれかのカバレッジエリアに入った際に、当該カバレッジエリアのＳＳＩＤと、保持するＳＳＩＤとを比較し、両者が一致した際に、測定端末５０に血圧測定を命令しても良い。より具体的には、図５において、例えばメモリに、測定すべき場所に対応するＳＳＩＤが保持され、図８で説明した例えばＳＳＩＤ取得命令部６２ｂが、カバレッジエリアのＳＳＩＤと、保持するＳＳＩＤとを比較する。しかし、測定端末５０の血圧測定開始の方法については、種々の方法を用いることが出来る。
【００８９】
・第１の例
図１２は、第１の例に係る方法について示しており、図１０における特に血圧測定開始に係る動作のフローチャートを示している。本例は、ユーザによる測定端末５０の操作を待って、血圧測定を行うものである。
【００９０】
図示するように、携帯通信端末６０が、いずれかのカバレッジエリア２〜４に入ったことを検知すると（ステップＳ３０、ＹＥＳ）、携帯通信端末６０の例えば血圧測定命令部６２ａは、測定端末５０に対して、血圧測定許可を通知する（ステップＳ３７）。この通知を受信した測定端末５０では、制御部５２が、血圧測定許可が受信された旨を表示部５５に表示するなどして、ユーザに通知する（ステップＳ２２）。もちろん、表示に限らず、音や振動などによって通知しても良い。そして操作部５４が、ユーザによる例えば測定ボタンが押されるなどの血圧測定命令を受け付けると（ステップＳ２３）、センサ５６が血圧測定を開始する（ステップＳ２０）。
【００９１】
・第２の例
図１３は、第２の例に係る方法について示しており、図１２と同様に、図１０における血圧測定開始に係る動作のフローチャートである。本例は、測定端末５０のセンサ５６がユーザの脈拍を測定し、脈拍がある閾値を超えた際に、血圧測定を行うものである。
【００９２】
図示するように、測定端末５０のセンサ５６は、ユーザの脈拍を例えば連続的に測定する（ステップＳ２４）。しかし、必ずしも連続である必要はなく、例えば一定の時間間隔で測定される場合であっても良い。そして測定端末５０は、携帯通信端末６０から血圧測定許可を受信し（ステップＳ３７）、更に脈拍が予め定められた閾値を超えた際に（ステップＳ２５）、センサ５６が血圧測定を開始する（ステップＳ２０）。この閾値は、例えばメモリ５３に予め保持される。そして制御部５２が、センサ５６で得られた測定値と、メモリ５３から読み出した閾値とを比較し、その結果に応じてセンサ５６に血圧測定を命令する。
【００９３】
・その他の例
上記のように、第１及び第２の例では、ユーザによる指示と脈拍とを、血圧測定のトリガとして用いる場合を説明した。しかし、上記の例に限定されるものでは無い。例えば、測定端末５０がサーバ５との間の無線通信機能を有する場合には、測定端末５０がステップＳ３０の判断を行うことが出来、ステップＳ３７は不要となる。
【００９４】
＜４．２＞
上記実施形態では、ＳＳＩＤに基づいて血圧測定場所を推定する場合について説明した。しかし、ＳＳＩＤだけでなく、例えばＧＰＳなど、位置情報を提供出来る他の手段を併せて用いても良い。
【００９５】
図１４及び図１５はそれぞれ、本変形例に係る測定端末５０及び携帯通信端末６０のハードウェア構成の一例を模式的に例示する。図示するように、測定端末５０または携帯通信端末６０は、ＧＰＳ処理部５７、６７を更に備える。ＧＰＳ処理部は、測定端末５０と携帯通信端末６０の少なくともいずれか一方に設けられれば良く、もちろん、両方に設けられても良い。ＧＰＳ処理部５７、６７は、ＧＰＳ衛星からの電波を受信し、受信されたＧＰＳ信号に基づいて位置を推定する。
【００９６】
図１６は、本変形例に係る高血圧測定システムの動作を示すフローチャートであり、上記実施形態で説明した図１０に対応する。そして図１６では、一例としてＧＰＳ処理部が測定端末５０に設けられた場合について示している。
【００９７】
図示するように測定端末５０の通信部５１は、血圧の測定結果だけでなく、ＧＰＳ処理部５７で得られた位置情報を携帯通信端末６０に送信する（ステップＳ２６）。そして携帯通信端末６０の通信部６１は、血圧値及びＳＳＩＤに加えて、測定端末５０から受信したＧＰＳ信号による位置情報（これをＧＰＳ情報と呼ぶ）を、サーバ５へ送信する（ステップＳ３８）。血圧値、ＳＳＩＤ、及びＧＰＳ情報を受信したサーバ５において（ステップＳ７０）、位置特定部７２ｂは、ＳＳＩＤだけでなくＧＰＳ情報も用いてユーザの位置を特定する。より具体的には、例えばサーバのメモリ７３には、探索すべき位置、すなわち上記実施形態の例では自宅、職場、及び病院の位置情報が保持される。そして、ＧＰＳ情報と、メモリ７３に保持される位置情報とが一致するか否かを例えば位置特定部７２ｂが判断する。そして、両者が一致した場合に、ユーザが当該位置にいるものと判断する。その他の動作は、図１０と同様である。
【００９８】
このように、ＳＳＩＤだけでなくＧＰＳ情報も併せて考慮することにより、より正確にユーザの位置を推定出来る。なお、図１６ではＧＰＳ処理部を測定端末５０が有する場合について説明したが、携帯通信端末６０が有する場合には、ステップＳ２６を省略し、携帯通信端末６０にＧＰＳ処理部６７で得られたＧＰＳ情報がステップＳ３８でサーバ５に送信される。また、測定端末５０または携帯通信端末６０が、ＧＰＳ情報と、探索すべき位置（自宅、職場、及び病院の位置情報）との比較を行っても良い。そして両者が一致した場合に、その旨をサーバ５に送信する場合であっても良い。
【００９９】
このことは、上記４．１にも適用できる。すなわち、予め定められたＳＳＩＤと受信したＳＳＩＤの一致だけでなく、予め定められた探索すべき位置とＧＰＳ情報とが一致した場合に、測定端末５０が血圧測定を開始し、または携帯通信端末６０が測定端末５０に血圧測定を命令しても良い。
【０１００】
＜４．３＞
上記実施形態では、ユーザが職場高血圧か白衣高血圧かの推定をサーバ５が行う場合を例に説明した。しかし、携帯通信端末６０がこの判断を行っても良い。図１７は、本変形例に係る携帯通信端末６０のハードウェア構成の一例を模式的に例示する。
【０１０１】
図示するように、携帯通信端末６０のメモリ６３は、血圧判断プログラム６６に加えて、上記実施形態ではサーバ５が保持していた血圧テーブル７５並びに閾値データＢＰ１及びＢＰ２を保持している。そして制御部６２は、本変形例に係る血圧判断プログラム６６を実行することにより、図８で説明した血圧測定命令部６２ａ、ＳＳＩＤ取得命令部６２ｂ、送信命令部６２ｃ、及び表示命令部６２ｄだけでなく、図９で説明したテーブル作成部７２ａ、位置特定部７２ｂ、比較部７２ｃ、及び判断部７２ｄの構成要素を制御する。
【０１０２】
図１８は、本変形例に係る高血圧測定システムの動作を示すフローチャートであり、上記実施形態で説明した図１０に対応する。図１０と異なる点は、上記実施形態でサーバ５が行っていた血圧テーブル作成、位置特定、比較・判断などの処理を携帯通信端末６０が行うことである。以下では図１０と異なる点についてのみ説明する。
【０１０３】
図示するように、まず携帯通信端末６０のテーブル作成部７２ａは、メモリ６３において、ＳＳＩＤと位置との関係を血圧テーブル７５に登録する（ステップＳ８０）。ＳＳＩＤと位置との関係は、例えばサーバ５に保持された血圧テーブル７５が携帯通信端末６０に転送される場合であっても良いし、またはユーザによる設定入力を携帯通信端末６０の操作部６４で受け付けることによって登録される場合であっても良い。更に、携帯通信端末６０の例えばテーブル作成部７２ａは、メモリ６３に閾値データＢＰ１及びＢＰ２を記憶させる（ステップＳ８１）。このデータＢＰ１及びＢＰ２も、サーバ５から携帯通信端末６０に転送されても良いし、またはユーザによる入力によっても良い。
【０１０４】
そして、携帯通信端末６０が血圧値を受信し（ステップＳ３２）、ＳＳＩＤを取得すると（ステップＳ３３）、携帯通信端末６０のテーブル作成部７２ａが受信した血圧値を血圧テーブル７５に登録する（ステップＳ８２）。
【０１０５】
その後は、図１０で説明したサーバの処理ステップＳ４３〜Ｓ４５を、携帯通信端末６０が実行する（ステップＳ８３〜Ｓ８５）。この処理の詳細は、上記実施形態で説明した図１１と同様である。そして、表示命令部６２ｄの命令に従って、ステップＳ８５における判断結果が表示部６５に表示される（ステップＳ３６）。
【０１０６】
以上のように、血圧テーブル７５を携帯通信端末６０に設けて、ＳＳＩＤと位置との関係に関する情報を携帯通信端末６０に与えることで、高血圧測定システムの主たる動作をサーバ５の代わりに携帯通信端末６０で行うことが出来る。
【０１０７】
＜４．４＞
上記４．５の項では、ユーザが職場高血圧か白衣高血圧かの推定を携帯通信端末６０が行う場合について説明した。しかし、この判断は測定端末５０によって行われても良い。図示は省略するが、本変形例に係る測定端末５０では、メモリ５３に血圧判断プログラム６６、血圧テーブル７５、並びに閾値データＢＰ１及びＢＰ２が保持される。そして血圧判断プログラム６６を実行することにより制御部５２は、図８及び図９で説明した血圧測定命令部６２ａ、ＳＳＩＤ取得命令部６２ｂ、送信命令部６２ｃ、表示命令部６２ｄ、テーブル作成部７２ａ、位置特定部７２ｂ、比較部７２ｃ、及び判断部７２ｄの構成要素を備え、これらの構成要素を制御する。
【０１０８】
図１９は、本変形例に係る高血圧測定システムの動作を示すフローチャートであり、上記実施形態で説明した図１０に対応する。図１０と異なる点は、上記実施形態でサーバ５が行っていた血圧テーブル作成、位置特定、比較・判断などの処理を測定端末５０が行うことである。以下では図１０と異なる点についてのみ説明する。
【０１０９】
図示するように、まず測定端末５０のテーブル作成部７２ａは、メモリ５３において、ＳＳＩＤと位置との関係を血圧テーブル７５に登録する（ステップＳ９０）。ＳＳＩＤと位置との関係は、例えばサーバ５に保持された血圧テーブル７５が携帯通信端末６０を介して測定端末５０に転送される場合であっても良いし、またはユーザによる設定入力を測定端末５０の操作部５４で受け付けることによって登録される場合であっても良い。更に、測定端末５０の例えばテーブル作成部７２ａは、メモリ５３に閾値データＢＰ１及びＢＰ２を記憶させる（ステップＳ９１）。このデータＢＰ１及びＢＰ２も、サーバ５から携帯通信端末６０を介して測定端末５０に転送されても良いし、またはユーザによる入力によっても良い。
【０１１０】
そして、センサ５６が血圧値を測定し（ステップＳ２０）、通信部５１は携帯通信端末６０からＳＳＩＤを受信する（ステップＳ９２）。すると、測定端末５０のテーブル作成部７２ａが、受信したＳＳＩＤに基づいて、ステップＳ２０で測定した血圧値を血圧テーブル７５に登録する（ステップＳ９３）。
【０１１１】
その後は、図１０で説明したサーバの処理ステップＳ４３〜Ｓ４５を、測定端末５０が実行する（ステップＳ９５〜Ｓ９７）。この処理の詳細は、上記実施形態で説明した図１１と同様である。そして、表示命令部６２ｄの命令に従って、ステップＳ９６における判断結果が表示部５５に表示される（ステップＳ９７）。
【０１１２】
以上のように、血圧テーブル７５を測定端末５０に設けて、ＳＳＩＤと位置との関係に関する情報を測定端末５０に与えることで、高血圧測定システムの主たる動作をサーバ５の代わりに測定端末５０で行うことが出来る。
【０１１３】
なお、測定端末５０が無線ＬＡＮ（例えばＷｉ−Ｆｉ）など、基地局２０、３０、及び４０と直接通信可能な場合には、携帯通信端末６０を介在する必要はない。図２０は、このような場合における高血圧測定システムの動作を示すフローチャートである。
【０１１４】
図示するように、ステップＳ９０及びＳ９１において、測定端末５０に血圧テーブル７５及び閾値データＢＰ１及びＢＰ２が登録される。そして、測定端末５０の通信部５１が、いずれかのカバレッジエリアに入ったことを検知すると（ステップＳ９８）、制御部５２の命令によりセンサ５６が血圧の測定を開始し（ステップＳ２０）、また通信部５１がＳＳＩＤを取得する（ステップＳ９９）。その後、制御部５２の命令により通信部５１は、Ｗｉ−Ｆｉなどの無線通信により、血圧値とＳＳＩＤとをサーバ５へ送信する（ステップＳ１００）。その後は、図１９で説明したステップＳ９４〜Ｓ９７の処理が行われる。
【０１１５】
＜４．５＞
上記実施形態では、血圧を測定する場所として、自宅、職場、及び病院の例を挙げて説明した。しかし、測定場所を更に小さな単位で区別しても良い。
【０１１６】
図２１は、変形例に係る高血圧判定システムの模式図であり、図３に対応し、特に自宅に着目したものである。図示するように本変形例では、自宅内に２つの基地局２０ａ及び２０ｂが設置されている。基地局２０ａのカバレッジエリア２ａはリビングであり、基地局２０ｂのカバレッジエリア２ｂは寝室である。そして、基地局２０ａ及び２０ｂにはＳＳＩＤとして、それぞれ“Ａ０００１”及び“Ａ０００２”が割り当てられている。
【０１１７】
そしてサーバ５では、リビングで測定された血圧値と、寝室で測定された血圧値とを別個に登録し、リビングで測定された血圧値を、家庭血圧とみなす。
【０１１８】
本方法によれば、仮面高血圧の１つである夜間高血圧を見つけることが出来る。夜間高血圧は、昼間より夜間に血圧が高くなるタイプと、夜間に血圧があまり下がらないタイプとがある。いずれの場合も、脳や心臓、腎臓などの臓器に負担がかかり、病気が引き起こされやすい状態であると考えられる。従って、このようなタイプの高血圧を発見することは、ユーザの健康にとって大変に有用である。
【０１１９】
なお、本変形例では自宅内でアクセスポイントを使い分けるため、マクロセルよりもカバレッジエリアの狭いピコセルやフェムトセルを用いることが望ましい。
【０１２０】
もちろん、自宅だけでなく、職場や病院をより狭い範囲で区別しても良い。このような場合の血圧テーブルの例を図２２に示す。図示するように、自宅はリビングと寝室とで区別される。職場は、自席、ミーティングルーム、出張先Ａ、及び出張先Ｂ等に区別される。また複数の病院に通院している場合には、それぞれの病院Ａ、病院Ｂ、及び病院Ｃに区別される。このように、様々な場所を区別して血圧を測定することで、より精密にユーザの健康度合いを調べることが出来る。
【０１２１】
＜その他＞
以上のように、上記実施形態は種々の形態に変形可能である。また、上記４．１〜４．５の項で説明した変形例は、互いに組み合わせ可能である。例えば、上記４．１で説明した方法は、４．２〜４．５のいずれにも適用可能であり、可能な限り組み合わせることができる。
【０１２２】
更に、本発明の装置は、コンピュータとプログラムによっても実現でき、プログラムを記録媒体に記録することも、ネットワークを通して提供することも可能である。  
また、以上の各装置及びそれらの装置部分は、それぞれハードウェア構成、またはハードウェア資源とソフトウェアとの組み合せ構成のいずれでも実施可能となっている。組み合せ構成のソフトウェアとしては、予めネットワークまたはコンピュータ読み取り可能な記録媒体からコンピュータにインストールされ、当該コンピュータのプロセッサに実行されることにより、各装置の機能を当該コンピュータに実現させるためのプログラムが用いられる。
【０１２３】
また、上記の実施形態の一部又は全部は、以下の付記のようにも記載されうるが、以下には限られない。
【０１２４】
（付記１）  
ハードウェアプロセッサと、メモリとを備える情報処理装置であって、
前記ハードウェアプロセッサは、
被測定者の血圧を示す第１情報を第１の装置から前記ネットワークを介して受信し、且つ前記第１の装置が前記第１情報を送信する際に使用した無線基地局の識別子を示す第２情報を受信し、
前記受信された第２情報の示す前記識別子に基づいて、前記第１情報が送信された位置を示す第３情報を取得し、
前記第１情報の示す前記血圧と、前記第３情報の示す前記位置とに基づいて、前記被測定者につきストレス性の高血圧に関する判断を支援する情報を生成するように構成される、情報処理装置。
【０１２５】
（付記２）  
ハードウェアプロセッサと、メモリとを備える情報処理装置であって、
前記ハードウェアプロセッサは、
被測定者の血圧を示す第１情報を血圧計から受信すると共に、無線基地局の識別子を示す第２情報を取得し、
前記取得された第２情報の示す前記識別子に基づいて、前記第１情報が受信された位置を示す第３情報を取得し、
前記第１情報の示す前記血圧と、前記第３情報の示す前記位置とに基づいて、前記被測定者につきストレス性の高血圧に関する判断を支援する情報を生成するように構成される、情報処理装置。
【０１２６】
（付記３）  
ハードウェアプロセッサと、メモリとを備える情報処理装置であって、
前記ハードウェアプロセッサは、
被測定者の血圧を測定し、前記測定された血圧を示す第１情報を得る血圧測定部と、
無線基地局の識別子を示す第２情報を取得し、
前記第２情報の示す前記識別子に基づいて、前記第１情報を得た位置を示す第３情報を取得し、
前記第１情報の示す前記血圧と、前記第３情報の示す前記位置とに基づいて、前記被測定者につきストレス性の高血圧に関する判断を支援する情報を生成するように構成される、情報処理装置。
【０１２７】
（付記４）  
少なくとも１つのハードウェアプロセッサおよびメモリを備える生体情報記録装置が実行する生体情報記録方法であって、
前記ハードウェアプロセッサが、
被測定者の血圧を示す第１情報を無線通信により受信し、
前記無線通信で使用されたアクセスポイントの識別名を示す第２情報を受信し、
前記第２情報の示す前記識別名に基づいて、前記第１情報が送信された位置を示す第３情報を取得し、
前記第１情報の示す前記血圧と、前記第３情報の示す前記位置とに基づいて、前記被測定者につきストレス性の高血圧に関する判断を行う、情報処理方法。
【符号の説明】
【０１２８】
１…高血圧判定システム
２、３、４…カバレッジエリア
５…サーバ
６…ネットワーク
２０、３０、４０…基地局
５０…測定端末
５１、６１、７１…通信部
５２、６２、７２…制御部
５３、６３、７３…メモリ
５４、６４…操作部
５５、６５…表示部
５６…センサ
５７、６７…ＧＰＳ
６０…携帯通信端末
６２ａ…血圧測定命令部
６２ｂ…ＳＳＩＤ取得命令部
６２ｃ…送信命令部
６２ｄ…表示命令部
６６、７４…血圧判断プログラム
７２ａ…テーブル作成部
７２ｂ…位置特定部
７２ｃ…比較部
７２ｄ…判断部
７５…血圧テーブル
７６…閾値データ
１００…情報処理装置
【図１】
2020048934.tif 000003
【図２】
2020048934.tif 000004
【図３】
2020048934.tif 000005
【図４】
2020048934.tif 000006
【図５】
2020048934.tif 000007
【図６】
2020048934.tif 000008
【図７】
2020048934.tif 000009
【図８】
2020048934.tif 000010
【図９】
2020048934.tif 000011
【図１０】
2020048934.tif 000012
【図１１】
2020048934.tif 000013
【図１２】
2020048934.tif 000014
【図１３】
2020048934.tif 000015
【図１４】
2020048934.tif 000016
【図１５】
2020048934.tif 000017
【図１６】
2020048934.tif 000018
【図１７】
2020048934.tif 000019
【図１８】
2020048934.tif 000020
【図１９】
2020048934.tif 000021
【図２０】
2020048934.tif 000022
【図２１】
2020048934.tif 000023
【図２２】
2020048934.tif 000024